(57)【要約】【課題】ボディに対するカバーのスライド移動方向と交差する方向へケーブルを導出可能とする。【解決手段】カバー３をボディ２の前面に沿って長手方向にスライド移動させることでボディ２とカバー３を結合して器体１が組み立てられる。スライド移動方向に沿ったカバー３の側面にノックアウト部２６と対応する切り欠き部２７を設けている。したがって、ノックアウト部２６に形成されたケーブル挿通孔５を通して導出されたケーブル６０と干渉せずにカバー３をスライド移動することができ、カバー３のスライド移動方向と交差する方向へケーブル６０を導出することができる。【選択図】        図１
2005093390.tif 000002
【特許請求の範囲】
【請求項１】
モジュラプラグが挿入されるプラグ挿入口が設けられた器体を備え、壁面のような施工面に露出した形で設置される露出形モジュラジャックにおいて、モジュラプラグの接触子と接触するとともにケーブルが接続されるコンタクトを前面に有するボディと、該ボディに結合されてボディ前面を覆うカバーとで前記器体が構成され、前記ボディ前面に沿って前記カバーをスライド移動することで前記ボディとカバーを結合する結合手段を備え、前記カバーのスライド移動方向に沿った前記ボディ側面に前記ケーブルを器体から導出するケーブル挿通孔を開口したことを特徴とする露出形モジュラジャック。
【請求項２】
モジュラプラグが挿入されるプラグ挿入口が設けられた器体を備え、壁面のような施工面に露出した形で設置される露出形モジュラジャックにおいて、モジュラプラグの接触子と接触するとともにケーブルが接続されるコンタクトを前面に有するボディと、該ボディに結合されてボディ前面を覆うカバーとで前記器体が構成され、前記ボディ前面に沿って前記カバーをスライド移動することで前記ボディとカバーを結合する結合手段を備え、前記カバーのスライド移動方向に沿った前記ボディ側面に前記ケーブルを器体から導出するケーブル挿通孔を開口し、当該カバー側面における前記ケーブル挿通孔と対向する部位にケーブルを逃がす切り欠き部を設けたことを特徴とする露出形モジュラジャック。
【発明の詳細な説明】
【技術分野】
【０００１】
本発明は、壁面のような施工面に露出した形で設置される露出形モジュラジャックに関するものである。
【背景技術】
【０００２】
従来より、モジュラプラグが挿入されるプラグ挿入口が一面に開口した器体と、モジュラプラグの接触子と接触するコンタクトに接続されるとともに前記器体の他の一面に開口する挿通孔を通して外部へ導出されるケーブルとを備え、施工面に固定されるボディと、前記挿通孔の少なくとも一部が設けられて前記ボディに被着されるカバーとで前記器体が構成され、壁面のような施工面に露出した形で設置される露出形モジュラジャックが提供されている（特許文献１参照）。ここでボディとカバーの結合には、ボディの前面の四隅に突設された組立突片の外側面に係合孔がそれぞれ形成され、カバーの内周面における各組立突片の係合孔に対向する部位に突設された組立爪を嵌合することでボディに対してカバーを結合する構造が採用されている。
【０００３】
このような露出形モジュラジャックは、例えば、床下から引き出されたケーブル（電話用のケーブルやＬＡＮ用のケーブルなど）が接続されて壁面や机の側板あるいは脚などの施工面に固定されるが、ケーブルに人の脚が引っ掛かることがあるため、脚が引っ掛かった際にケーブルを介してボディ及びカバーにかかる衝撃荷重（およそ３０〜１００Ｎ）に耐え得るだけの結合強度が必要とされる。つまり、ボディとカバーの結合強度が充分でないと内部のコンタクトとケーブルとの接続部位に衝撃荷重が直接加わり、最悪の場合にはコンタクトとケーブルの接続が外れてしまうという事態が生じるので、このような事態が生じないようにボディとカバーの結合強度を強くする必要がある。
【０００４】
そこで本出願人は、図７に示すようにボディ２の前面と隙間を空けて対向し且つケーブル挿通孔５からの導出方向と略平行に延長された複数のレール部１１，１１がボディ２に設けられ、カバー３をボディ２の前面に沿ってスライド移動させたときにレール部１１と係合した状態で隙間Ｇ内を移動する係合片（図示せず）がカバー３に設けられた露出形モジュラジャックを提案している。すなわち、この露出形モジュラジャックでは、ケーブルの導出方向と直交する方向におけるボディ２とカバー３の結合強度がレール部１１と係合片の係合によって確保され、しかも、ボディ２に対してカバー３をスライド移動することでボディ２とカバー３を容易に結合することができるから、ボディ２とカバー３の組立性を低下させずに両者の結合強度を確保することが可能である。
【特許文献１】特開２００２−１３４２３３号公報
【発明の開示】
【発明が解決しようとする課題】
【０００５】
ところが本出願人が提案している従来例においては、スライド移動させるカバー３にケーブル挿通孔５が設けられており、ボディ２に対してカバー３をスライド移動する方向とケーブルの導出方向とが一致していなければ両者を結合することができず、スライド移動方向と交差する方向へケーブルを導出することができなかった。
【０００６】
本発明は上記事情に鑑みて為されたものであり、その目的は、ボディに対するカバーのスライド移動方向と交差する方向へケーブルを導出することができる露出形モジュラジャックを提供することにある。
【課題を解決するための手段】
【０００７】
請求項１の発明は、上記目的を達成するために、モジュラプラグが挿入されるプラグ挿入口が設けられた器体を備え、壁面のような施工面に露出した形で設置される露出形モジュラジャックにおいて、モジュラプラグの接触子と接触するとともにケーブルが接続されるコンタクトを前面に有するボディと、該ボディに結合されてボディ前面を覆うカバーとで前記器体が構成され、前記ボディ前面に沿って前記カバーをスライド移動することで前記ボディとカバーを結合する結合手段を備え、前記カバーのスライド移動方向に沿った前記ボディ側面に前記ケーブルを器体から導出するケーブル挿通孔を開口したことを特徴とする。
【０００８】
この発明によれば、ボディ前面に沿ってカバーをスライド移動すれば結合手段によってボディとカバーが結合されて器体が組み立てられるが、カバーのスライド移動方向に沿ったボディ側面に開口したケーブル挿通孔からケーブルを導出しているため、ケーブルと干渉せずにカバーをスライド移動することができ、カバーのスライド移動方向と交差する方向へケーブルを導出することができる。
【０００９】
請求項２の発明は、上記目的を達成するために、モジュラプラグが挿入されるプラグ挿入口が設けられた器体を備え、壁面のような施工面に露出した形で設置される露出形モジュラジャックにおいて、モジュラプラグの接触子と接触するとともにケーブルが接続されるコンタクトを前面に有するボディと、該ボディに結合されてボディ前面を覆うカバーとで前記器体が構成され、前記ボディ前面に沿って前記カバーをスライド移動することで前記ボディとカバーを結合する結合手段を備え、前記カバーのスライド移動方向に沿った前記ボディ側面に前記ケーブルを器体から導出するケーブル挿通孔を開口し、当該カバー側面における前記ケーブル挿通孔と対向する部位にケーブルを逃がす切り欠き部を設けたことを特徴とする。
【００１０】
この発明によれば、ボディ前面に沿ってカバーをスライド移動すればボディとカバーが結合されて器体が組み立てられるが、カバー側面のケーブル挿通孔と対向する部位にケーブルを逃がす切り欠き部を設けているため、ケーブル挿通孔から導出されたケーブルと干渉せずにカバーをスライド移動することができ、カバーのスライド移動方向と交差する方向へケーブルを導出することができる。
【発明の効果】
【００１１】
本発明によれば、ケーブル挿通孔から導出されたケーブルと干渉せずにカバーをスライド移動することができ、カバーのスライド移動方向と交差する方向へケーブルを導出することができるという効果がある。
【発明を実施するための最良の形態】
【００１２】
以下、図面を参照して本発明の実施形態を詳細に説明する。
【００１３】
（実施形態１）
図１は本実施形態の露出形モジュラジャックを示す分解斜視図、図２は４面図である。この露出形モジュラジャックは、器体１の中に４つのモジュラジャックブロック３０を収納して構成される。器体１は合成樹脂材料により直方体状に形成されるものであり、壁面などの施工面に背面（図１における下面）を対向させる形で固定されるとともに前面（図１における上面）側に４つのモジュラジャックブロック３０が装着されるボディ２と、ボディ２及びモジュラジャックブロック３０の前面側を覆う形でボディ２に着脱自在に結合されるカバー３とで構成される。
【００１４】
モジュラジャックブロック３０は、合成樹脂のような絶縁材料によって形成されたジャック本体３１を備え、ジャック本体３１の正面（図１における左側面）にはモジュラプラグが挿入されるプラグ挿入口３２が開口し、ジャック本体３１の前面（図１における上面）には８個の圧接端子（図示せず）を具備する端子部３３が露出する。また、ジャック本体３１のプラグ挿入口３２内には、ばね材料よりなる互いに独立した複数本（６本あるいは８本）の線状乃至細帯状のコンタクト１８が保持され、各圧接端子とコンタクト１８とは電気的に接続されている。一方、圧接端子は被覆電線を圧入したときに絶縁被覆を破って内部導体を接触させる圧接スリットを備えた略Ｙ字形のものであって周知の形状に形成される。また圧接端子は、後述するようにモジュラジャックブロック３０をボディ２の嵌合凹部８に嵌合させた状態でジャック本体３１の前面に露出して左右２列に並ぶように配置され、圧接スリットはジャック本体３１の前面（図１における上面）側に臨んで開放される。したがって、後述するケーブル挿通孔５を通して器体１の中に導入されたケーブル６０の各被覆電線は、圧接端子に接続されることによってコンタクト１８に接続される。圧接端子に被覆電線を接続した状態では、隣り合うジャック本体３１同士が対向するジャック本体３１の側面から導入された形になる。また、ジャック本体３１において圧接端子が露出する部位には、電線止め３４が嵌着される。ジャック本体３１に電線止め３４を嵌着した状態では、圧接スリットに圧入された被覆電線を電線止め３４で押さえることができ、被覆電線の圧接スリットからの抜け止めを行うようになっている。
【００１５】
ボディ２の短手方向一端側（図１における左側）には、前方へ突出する一対の正面壁６，６が長手方向に沿って合計４組突設され、これら各一対の正面壁６，６の間にそれぞれシャッタブロック７が配設される。シャッタブロック７は扁平な矩形状に形成されて中央に矩形の開口窓７ｂを有する本体７ａと、開口窓７ｂを開閉自在に閉塞する２枚の扉体２２，２３とで構成される。シャッタブロック７の開口窓７ｂに対応する部位でボディ２の前面側には各々モジュラジャックブロック３０が嵌合する４つの嵌合凹部８が長手方向に沿って列設され、それぞれの嵌合凹部８に嵌合されてボディ２に取り付けられたモジュラジャックブロック３０のプラグ挿入口３２にシャッタブロック７の開口窓７ｂを通してモジュラプラグが挿入されることになる。また、ボディ２の長手方向における嵌合凹部８の間には合計３つのボス部２０が形成され、各ボス部２０にはボディ２を前後に貫通する取付孔２１がそれぞれ形成される。
【００１６】
シャッタブロック７の扉体２２，２３は、前後方向（図１における上下方向）に移動自在且つ前方へ弾性付勢された状態で本体７ａに保持されて開口窓７ｂを開閉自在に閉塞している。一方の扉体２２の前端縁には開口窓７ｂを通して外部に露出する操作片２２ａが突設されており、操作片２２ａに対して後方に移動する向きの力を加えることにより２枚の扉体２２，２３が後方に移動して開口窓７ｂを開き、開口窓７ｂを通してプラグ挿入口３２が露出するようになっている。なお、このようにして開口窓７ｂを開閉する構造は従来周知であるから詳細な説明は省略する。
【００１７】
ボディ２の短手方向他端側（図１における右側）の長手方向中央部には薄肉の板状部であるノックアウト部２４が立設されており、カバー３の短手方向一端側にはノックアウト部２４と対応する切り欠き部２５が設けられている（図２（ｂ）参照）。ノックアウト部２４は薄肉部を破ることによってモジュラジャックブロック３０に接続されたケーブル６０を導出するケーブル挿通孔として利用される。また、ボディ２の長手方向に対向する両側面における正面壁６と反対側の端部にもそれぞれ薄肉の板状部であるノックアウト部２６が立設され、カバー３の長手方向に対向する両側面にはノックアウト部２６と対応する切り欠き部２７が設けられている。さらに、ボディ２の前面におけるノックアウト部２４，２６の近傍にはモジュラジャックブロック３０と接続されたケーブルをケーブル挿通孔５に案内するガイド部１０と、ケーブルを仮保持するケーブル仮保持部９，１９とが設けられている。ノックアウト部２４に対応するケーブル仮保持部９は、隣り合う２つの側面が開放する略角筒状であってガイド部１０の両端縁の近傍に各々突設されている一対の筒状体９ａからなり、ケーブルを周方向に覆うとともにボディ２の前面と対向する前方（図１における上方）に開口した形状に形成され、開口からケーブルを挿入して仮保持するものである。同じくノックアウト部２６に対応するケーブル仮保持部１９は、ケーブルを周方向に覆うとともにボディ２の前面に沿った側方に開口した形状（略鈎形）に形成され、開口からケーブルを挿入して仮保持するものである。
【００１８】
カバー３は背面（図１における下面）が開放された直方体状に形成され、モジュラジャックブロック３０が装着された状態のボディ２の前面側を覆っている。カバー３の短手方向一端側（図１における左側）には長手方向全長に渡る開口部４が設けられている。また、カバー３の前面における開口部４近傍には、各プラグ挿入口３２の接続先の系統を識別するためのカラーチップ４０が取り付けられる４つの取付凹所３ａが長手方向に沿って列設されている。各カラーチップ４０は合成樹脂成型品からなり、上記識別のためにそれぞれ着色されている。
【００１９】
ここで、上述した器体１を施工面に固定する手段は、基本的には２種類が用意されている。すなわち、木質壁などの施工面に対しては、ボディ２のボス部２０に設けた取付孔２１を通して木ねじを施工面に螺合させればよい。一方、施工面がスチール製である場合（例えば、事務机などに取り付ける場合）には、ボディ２の背面に着脱自在に取り付けられるマグネット４１を施工面に磁着させればよい。
【００２０】
次に、本発明の要旨であるボディ２とカバー３の結合構造について説明する。
【００２１】
図１に示すように、ボディ２の前面における短手方向に沿った両端部の正面壁６寄りの部位には、カバー３との結合面（前面）と隙間Ｇを空けて対向し且つボディ２の短手方向と略平行に延長されたレール部１１がそれぞれ前方（図１における上方）へ突設されている。このレール部１１は、ボディ２の前面から前方へ突出する平板状の主片１２と、主片１２の前端縁よりボディ２の外側に向けて突出する係合突片１３とを有する鈎形に形成されている。一方、カバー３の短手方向に沿った両端部の内側面には、カバー３をボディ２の前面に沿って短手方向にスライド移動させたときにレール部１１の係合突片１３と係合した状態で隙間Ｇ内を移動する係合片１４がそれぞれ設けられている。
【００２２】
したがって、図３（ａ）に示すように薄肉部を破ることによってノックアウト部２６に形成されるケーブル挿通孔５を通してモジュラジャックブロック３０に接続したケーブル６０をボディ２の外に導出した後、同図（ｂ）に示すようにカバー３の切り欠き部２７をノックアウト部２６（ケーブル挿通孔５）に位置合わせするとともに係合片１４が係合突片１３と重ならないようにしてボディ２の前面にカバー３を被せた状態でボディ２の正面壁６に近付く向き（以下、「装着向き」という）にカバー３をスライド移動させれば、ボディ２の前面と係合突片１３との隙間Ｇに係合片１４が進入し、係合突片１３と係合片１４が係合することでボディ２にカバー３を装着して両者を結合することができる（同図（ｃ）参照）。また、カバー３をボディ２から取り外すには、カバー３を装着向きと逆向き（以下、「反装着向き」という）にスライド移動させて係合突片１３と係合片１４の係合状態を解除することにより、カバー３をボディ２から取り外すことができる。なお、ボディ２の側面におけるノックアウト部２６から正面壁６までの距離に対してカバー３の側面における切り欠き部２７から開口部４までの距離はカバー３をスライド移動させる分だけ短くなるから、ボディ２の前面におけるノックアウト部２６の近傍に隔壁１５を立設し、この隔壁１５によってボディ２とカバー３を結合した状態で切り欠き部２７を通して器体１の内部が見えないようにしている（図２（ｄ）参照）。また、隔壁１５とノックアウト部２６との境界部分にはカバー３をボディ２に被せる際に切り欠き部２７をノックアウト部２６に対応する位置に誘い込むための傾斜面１５ａが設けられており、切り欠き部２７を傾斜面１５ａに沿って滑らせるようにすれば、簡単にカバー３をボディ２に被せることができる（図３（ｂ）参照）。
【００２３】
上述のようにカバー３のスライド移動方向に沿ったボディ２の側面にケーブル挿通孔５（ノックアウト部２６）を開口し、スライド移動方向に沿ったカバー３の側面にノックアウト部２６と対応する切り欠き部２７を設けているので、ノックアウト部２６に形成されたケーブル挿通孔５を通して導出されたケーブル６０を切り欠き部２７で逃がすことによりケーブル６０と干渉せずにカバー３をスライド移動することができ、カバー３のスライド移動方向と交差する方向へケーブル６０を導出することができる。また本実施形態では、ノックアウト部２４に形成されたケーブル挿通孔を通してカバー３のスライド移動方向と平行にケーブルを導出する場合においても従来例と同様にケーブルと干渉せずにカバー３をスライド移動させてボディ２とカバー３が結合できることはいうまでもない。なお、本実施形態ではボディ２に設けたレール部１１の係合突片１３とカバー３に設けた係合片１４でボディ２とカバー３を結合しているが、係合突片１３と係合片１４の係合だけでなく、例えばねじ止めによってボディ２とカバー３を強固に結合するようにしても構わない。
【００２４】
ところで本実施形態では、カバー３をスライド移動させてボディ２と結合した状態でロックされ、器体１の前後方向並びに長手方向に沿ってボディ２の前面からカバー３が離脱するのを防ぐロック手段がボディ２とカバー３に設けてある。このロック手段は、カバー３に設けられた一対のロック用突部（図示せず）と、ボディ２に設けられ、カバー３をスライド移動させたときに一対のロック用突部と各別に嵌合する一対のロック用嵌合部１６とからなる。
【００２５】
ロック用突部は、図示は省略するがノックアウト部２４に対応する切り欠き部２５が設けられたカバー３の短手方向一端側の周壁に短手方向内向きに突出する形で、切り欠き部２５を挟む位置よりそれぞれ突設されている。ロック用嵌合部１６は、ノックアウト部２４が設けられた側のボディ２の短手方向一端側の前面から前方へ突設されるとともに、ボディ２の短手方向外向きに開口するロック用嵌合孔（図示せず）が形成されている。
【００２６】
而して、ボディ２の前面に被せた状態でカバー３を装着向きにスライド移動すれば、カバー３のロック用突部がボディ２のロック用嵌合部１６に形成されているロック用嵌合孔と嵌合する。したがって、ボディ２とカバー３はレール部１１（係合突片１３）と係合片１４の係合だけでなくロック用突部とロック用嵌合部１６（ロック用嵌合孔）との嵌合によっても結合されるから、器体１の前後方向及び長手方向におけるボディ２とカバー３の結合強度を強くすることができる。
【００２７】
（実施形態２）
本実施形態の露出形モジュラジャックは、図４および図５に示すように実施形態１と同様に器体１に４個のモジュラジャックブロック３０を収納した４個口タイプのものであって、少なくとも実施形態１と共通の構成要件については同一の符号を付して説明を省略する。
【００２８】
本実施形態においては、ボディ２の前面における短手方向に沿った両端部にレール部１１が設けられておらず、短手方向に沿ったボディ２両側の側壁４２にノックアウト部２６が設けられている。また、ボディ２の長手方向中央部において隣り合う２つの正面壁６の前端部には、シャッタブロック７の前端縁に被さるように断面形状略コ字形の係合部４３が設けられている。
【００２９】
一方、本実施形態におけるカバー３は、図６に示すように開口部４と対向する短手方向一端側の周壁に短手方向内向きに突出する一対のロック用突部４５が切り欠き部２５を挟む位置よりそれぞれ突設され、さらに開口部４の周縁におけるカバー３の長手方向中央部にはボディ２の係合部４３が係脱自在に係合する係合凹部４４が設けられている。すなわち、本実施形態においては実施形態１におけるロック手段（一対のロック用突部とロック用嵌合部１６）と係合部４３および係合凹部４４をレール部１１と係合片１４に代わる結合手段として用いている。
【００３０】
したがって、ロック用突部４５がロック用嵌合部１６と重ならないようにしてボディ２の前面にカバー３を被せた状態で装着向きにカバー３をスライド移動させれば、カバー３のロック用突部４５がボディ２のロック用嵌合部１６に形成されているロック用嵌合孔（図示せず）と嵌合するとともに、カバー３に設けた係合凹部４４にボディ２に設けた係合部４３が係合することでボディ２にカバー３を装着して両者を結合することができる。また、カバー３をボディ２から取り外すには、カバー３を反装着向きにスライド移動させて係合凹部４４と係合部４３の係合状態を解除するとともに、ロック用嵌合部１６とロック用突部４５の嵌合状態を解除することにより、カバー３をボディ２から取り外すことができる。
【００３１】
而して本実施形態では、カバー３のスライド移動方向に沿ったボディ２の側壁４２にケーブル挿通孔５（ノックアウト部２６）を開口しているため、ケーブル挿通孔５から導出されたケーブル６０と干渉せずにカバー３をスライド移動することができ、カバー３のスライド移動方向と交差する方向へケーブル６０を導出することができる。また、ノックアウト部２４に形成されたケーブル挿通孔を通してカバー３のスライド移動方向と平行にケーブルを導出する場合においても従来例と同様にケーブルと干渉せずにカバー３をスライド移動させてボディ２とカバー３が結合できることはいうまでもない。なお、一対のロック用突部４５とロック用嵌合部１６の嵌合並びに係合部４３および係合凹部４４の係合だけでなく、例えばねじ止めによってボディ２とカバー３を強固に結合するようにしても構わない。
【図面の簡単な説明】
【００３２】
【図１】実施形態１の分解斜視図である。
【図２】同上を示し、（ａ）は正面図、（ｂ）は上面図、（ｃ）は下面図、（ｄ）は右側面図である。
【図３】同上のボディとカバーの結合方法を説明する説明図である。
【図４】実施形態２の分解斜視図である。
【図５】同上の斜視図である。
【図６】同上におけるカバーの斜視図である。
【図７】従来例の分解斜視図である。
【符号の説明】
【００３３】
１  器体
２  ボディ
３  カバー
５  ケーブル挿通孔
１１  レール部
１４  係合片
２７  切り欠き部
３０  モジュラジャックブロック
【図１】
2005093390.tif 000003
【図２】
2005093390.tif 000004
【図３】
2005093390.tif 000005
【図４】
2005093390.tif 000006
【図５】
2005093390.tif 000007
【図６】
2005093390.tif 000008
【図７】
2005093390.tif 000009